(57)【要約】【課題】ホワイトインクによる下地層を平坦化すること。【解決手段】第１粒径の顔料を含む第１ホワイトインクと第２粒径の顔料を含む第２ホワイトインクを噴射するヘッドと、前記第１ホワイトインクを噴射させて当該第１ホワイトインクを媒体に着弾させた後に、前記第１ホワイトインク上に前記第２ホワイトインクを噴射させるように前記ヘッドを制御する制御部と、を備え、前記第１粒径よりも前記第２粒径が小さいことを特徴とする印刷装置。【選択図】図８
2013212637.tif 000002
【特許請求の範囲】
【請求項１】
第１粒径の顔料を含む第１ホワイトインクと第２粒径の顔料を含む第２ホワイトインクを噴射するヘッドと、
前記第１ホワイトインクを噴射させて当該第１ホワイトインクを媒体に着弾させた後に、前記第１ホワイトインク上に前記第２ホワイトインクを噴射させるように前記ヘッドを制御する制御部と、
を備え、
前記第１粒径よりも前記第２粒径が小さいことを特徴とする印刷装置。
【請求項２】
請求項１に記載の印刷装置であって、
前記第１粒径の顔料は、中空樹脂の顔料を含むことを特徴とする印刷装置。
【請求項３】
請求項１又は２に記載の印刷装置であって、
前記第２粒径の顔料は、二酸化チタンの顔料を含むことを特徴とする印刷装置。
【請求項４】
請求項１〜３のいずれかに記載の印刷装置であって、
前記第２ホワイトインクに含まれる水の含有率は、前記第１ホワイトインクに含まれる水の含有率よりも高いことを特徴とする印刷装置。
【請求項５】
請求項１〜４のいずれかに記載の印刷装置であって、
前記第２ホワイトインクの粘度は前記第１ホワイトインクの粘度よりも低いことを特徴とする印刷装置。
【請求項６】
請求項１〜５のいずれかに記載の印刷装置であって、
前記ヘッドは、ノズルにインクを供給するリザーバ部を有し、
前記リザーバ部は、前記第１ホワイトインクの供給口と、前記第２ホワイトインクの供給口とを有し、
前記制御部は、前記第２ホワイトインクを噴射させる際、前記第１ホワイトインクを前記リザーバ部から除去し、前記第２ホワイトインクを供給することを特徴とする印刷装置。
【請求項７】
請求項１〜６のいずれかに記載の印刷装置であって、
前記ヘッドは、前記第２ホワイトインク上に第３粒径の顔料を含むカラーインクを噴射し、
前記第３粒径は前記第２粒径よりも小さいことを特徴とする印刷装置。
【請求項８】
第１粒径の顔料を含む第１ホワイトインクを噴射して当該第１ホワイトインクを媒体に着弾させる工程と、
前記第１ホワイトインク上に第２粒径の顔料を含む第２ホワイトインクを噴射させる工程と、
を含み、
前記第１粒径よりも前記第２粒径が小さいことを特徴とする印刷方法。
【発明の詳細な説明】
【技術分野】
【０００１】
本発明は、印刷装置、及び、印刷方法に関する。
【背景技術】
【０００２】
インクを媒体に噴射して媒体上に画像を形成するインクジェットプリンターが実用化されている。インクジェットプリンターは、様々な種類のインクを噴射して画像を形成することができる。
【０００３】
特許文献１には、透明基材の一方の面に第１の画像層と被覆層と第２の画像層を形成し、被覆層は第１の画像層の非画像層と重なる部分において、第１の画像層の画像部と重なる部分よりも大きな厚みを有することが開示されている。特許文献２には、高濃度記録が必要なときにおいて、粒子径の大きい顔料を含有するインクを優先的に使用し、高品位階調記録が必要なときには、粒子径の大きい顔料及び小さい顔料を併用することが開示されている。  
特許文献３には、普通紙では大粒径色材インクのみ使用するか、小粒径色材インクよりも多く使用することが開示されている。特許文献４には、白色印刷を行う白色インクに異なる２種類以上の白色色材を含有させることが示されている。
【先行技術文献】
【特許文献】
【０００４】
【特許文献１】特開２０１１−１６４３７９号公報
【特許文献２】特開２００２−６９３４５号公報
【特許文献３】特開２００５−７４８８８号公報
【特許文献４】特開２０１１−６２９４６号公報
【発明の概要】
【発明が解決しようとする課題】
【０００５】
白色のインクを媒体上に噴射することで、白色の下地層を形成することができる。このとき、下地層の平坦性が担保されていると、下地層上にカラーインクを噴射してカラー画像を形成する際に高画質化を図ることができる。よって、ホワイトインクによる下地層の平坦化を図ることが望ましい。
【０００６】
本発明は、このような事情に鑑みてなされたものであり、ホワイトインクによる下地層を平坦化することを目的とする。
【課題を解決するための手段】
【０００７】
上記目的を達成するための主たる発明は、
第１粒径の顔料を含む第１ホワイトインクと第２粒径の顔料を含む第２ホワイトインクを噴射するヘッドと、
前記第１ホワイトインクを噴射させて当該第１ホワイトインクを媒体に着弾させた後に、前記第１ホワイトインク上に前記第２ホワイトインクを噴射させるように前記ヘッドを制御する制御部と、
を備え、
前記第１粒径よりも前記第２粒径が小さいことを特徴とする印刷装置である。
【０００８】
本発明の他の特徴については、本明細書及び添付図面の記載により明らかにする。
【図面の簡単な説明】
【０００９】
【図１】プリンター１の全体構成ブロック図である。
【図２】プリンター１の一部の斜視図である。
【図３】ヘッドのノズル構成の説明図である。
【図４】ヘッド４１におけるノズル列周辺の断面図である。
【図５】図５Ａ及び図５Ｂは、第１実施形態におけるホワイトインクとライトホワイトインクの供給方法の説明図である。
【図６】印刷方法のフローチャートである。
【図７】印刷物のインク層を簡略化して示した図である。
【図８】印刷物のインク層の説明図である。
【図９】図９Ａ及び図９Ｂは、第２実施形態におけるホワイトインクとライトホワイトインクの供給方法の説明図である。
【図１０】図１０Ａ及び図１０Ｂは、第３実施形態におけるホワイトインクとライトホワイトインクの供給方法の説明図である。
【発明を実施するための形態】
【００１０】
本明細書及び添付図面の記載により、少なくとも、以下の事項が明らかとなる。すなわち、
第１粒径の顔料を含む第１ホワイトインクと第２粒径の顔料を含む第２ホワイトインクを噴射するヘッドと、
前記第１ホワイトインクを噴射させて当該第１ホワイトインクを媒体に着弾させた後に、前記第１ホワイトインク上に前記第２ホワイトインクを噴射させるように前記ヘッドを制御する制御部と、
を備え、
前記第１粒径よりも前記第２粒径が小さいことを特徴とする印刷装置である。  
このようにすることで、媒体上に着弾した第１粒径の顔料上に粒径の小さい第２粒径の顔料が着弾するので、第１粒径の顔料間を第２粒径の顔料で埋めることができる。これにより、ホワイトインクによって形成される下地層の平坦化を図ることができる。
【００１１】
かかる印刷装置であって、前記第１粒径の顔料は、中空樹脂の顔料を含むことが望ましい。  
このようにすることで、発色に優れた第１粒径の顔料を実現することができる。
【００１２】
また、前記第２粒径の顔料は、二酸化チタンの顔料を含むことが望ましい。  
このようにすることで、第１粒径よりも小さい第２粒径の顔料を実現することができる。
【００１３】
また、前記第２ホワイトインクに含まれる水の含有率は、前記第１ホワイトインクに含まれる水の含有率よりも高いことが望ましい。  
このようにすることで、第２ホワイトインクの乾燥時間が遅くなるため、その間に、第２ホワイトインクに含まれる第２顔料が第１顔料間に適切に沈降する。
【００１４】
また、前記第２ホワイトインクの粘度は前記第１ホワイトインクの粘度よりも低いことが望ましい。  
このようにすることで、第２ホワイトインクの粘度が低いので、第２顔料の沈降が適切に行われる。
【００１５】
また、前記ヘッドは、ノズルにインクを供給するリザーバ部を有し、
前記リザーバ部は、前記第１ホワイトインクの供給口と、前記第２ホワイトインクの供給口とを有し、
前記制御部は、前記第２ホワイトインクを噴射させる際、前記第１ホワイトインクを前記リザーバ部から除去し、前記第２ホワイトインクを供給することが望ましい。  
このようにすることで、第１ホワイトインクの噴射と第２ホワイトインクの噴射を切り替えて、第１ホワイトインクと第２ホワイトインクを共通のノズルから噴射させることができる。
【００１６】
また、前記ヘッドは、前記第２ホワイトインク上に第３粒径の顔料を含むカラーインクを噴射し、前記第３粒径は前記第２粒径よりも小さいことが望ましい。  
このようにすることで、第１ホワイトインクと第２ホワイトインクによって形成された下地層上に、さらに細かい顔料を含むカラーインクによるカラー画像を形成することができる。
【００１７】
また、本明細書及び添付図面の記載により、少なくとも、以下の事項も明らかとなる。すなわち、
第１粒径の顔料を含む第１ホワイトインクを噴射して当該第１ホワイトインクを媒体に着弾させる工程と、
前記第１ホワイトインク上に第２粒径の顔料を含む第２ホワイトインクを噴射させる工程と、
を含み、
前記第１粒径よりも前記第２粒径が小さいことを特徴とする印刷方法である。  
このようにすることで、媒体上に着弾した第１粒径の顔料上に粒径の小さい第２粒径の顔料が着弾するので、第１粒径の顔料間を第２粒径の顔料で埋めることができる。これにより、ホワイトインクによって形成される下地層の平坦化を図ることができる。
【００１８】
＝＝＝実施形態＝＝＝
以下、インクジェットプリンター（以下、プリンター１）を例に挙げ、プリンター１とコンピューター６０が接続された印刷システムについて説明する。
【００１９】
図１は、プリンター１の全体構成ブロック図であり、図２は、プリンター１の一部の斜視図である。外部装置であるコンピューター６０から印刷データを受信したプリンター１は、コントローラー１０により、各ユニット（搬送ユニット２０、キャリッジユニット３０、ヘッドユニット４０）を制御し、用紙Ｓ（以下、「媒体」として説明することがある）等に画像を形成する。また、プリンター１内の状況を検出器群５０が監視し、その検出結果に基づいて、コントローラー１０は各ユニットを制御する。
【００２０】
コントローラー１０は、プリンター１の制御を行うための制御ユニットである。インターフェース部１１は、外部装置であるコンピューター６０とプリンター１との間でデータの送受信を行うためのものである。ＣＰＵ１２は、プリンター１全体の制御を行うための演算処理装置である。メモリー１３は、ＣＰＵ１２のプログラムを格納する領域や作業領域等を確保するためのものである。ＣＰＵ１２は、ユニット制御回路１４により各ユニットを制御する。
【００２１】
搬送ユニット２０は、用紙Ｓを印刷可能な位置に送り込み、印刷時に搬送方向に所定の搬送量で用紙Ｓを搬送させるためのものである。  
キャリッジユニット３０は、ヘッド４１を媒体の搬送方向と交差する方向に移動させるためのものである。  
ヘッドユニット４０は、用紙Ｓにインクを噴射するためのものである。各ヘッドの下面にはインク噴射部であるノズルが複数設けられている。また、各ノズルに対応付けられたピエゾ素子を駆動することによって、ノズルからインクが噴射される。
【００２２】
プリンター１では、印刷データに基づいて、キャリッジ４３によって移動方向に移動するヘッド４１からインクを断続的に噴射させて媒体上に移動方向に沿うドット列（ラスターライン）を形成するドット形成動作（以下、「パス」ということがある）と、搬送ユニット２０によって媒体を搬送方向に搬送する搬送動作と、を交互に繰り返す。その結果、先のドット形成動作により形成されたドットの位置とは異なる位置にドットを形成することができ、用紙上に２次元の画像を形成することができる。
【００２３】
図３は、ヘッドのノズル構成の説明図である。図３では、ヘッド上面から透過的にノズル列を視認したときの様子が示されている。ヘッド４１は、５つのノズル列から構成される。それぞれのノズル列は、ノズル番号＃１のノズルからノズル番号＃１８０のノズルの１８０個のノズルを有する。図３において、媒体の搬送方向下流側のノズルから上流側のノズルに向かってノズル番号＃１からノズル番号＃１８０の番号が付されている。そして、これらのノズル間のピッチＰは、１８０ｄｐｉである。
【００２４】
これら複数のノズル列は、イエローインクＹを噴射するイエローインクノズル列ＮＹｅと、マゼンタインクＭを噴射するマゼンタインクノズル列ＮＭａと、シアンインクＣを噴射するシアンインクノズル列ＮＣｙと、ブラックインクＫを噴射するブラックインクノズル列ＮＢｋを含む。また、ホワイトインクＷとライトホワイトインクＬＷとを切り替えて噴射するホワイトインクノズル列ＮＷｈを含む。
【００２５】
カラーインクについては、一般的なインクジェット用のインクを用いることができるが、本実施形態におけるカラーインクに含まれる顔料の粒径（平均粒径）は、１００ｎｍである。
【００２６】
ホワイトインクＷとライトホワイトインクＬＷ（ホワイトインクＷは第１ホワイトインクに相当し、ライトホワイトインクＬＷは第２ホワイトインクに相当する）の組成は、例えば次の表に示されるようなものである。
【表１】
2013212637.tif 000003
【００２７】
表に示されている数値の単位は、全て重量パーセント濃度である。第１の例及び第２の例において、ホワイトインクＷに含まれる顔料の粒径は、６００ｎｍである。また、第１の例及び第２の例において、ライトホワイトインクＬＷに含まれる顔料の粒径は、２００ｎｍである。
【００２８】
このように、ライトホワイトインクＷの顔料の粒径が最も大きく、これに続いて、ホワイトインクＬＷの顔料の粒径が大きい。そして、カラーインクの顔料の粒径が最も小さい。
【００２９】
上記の表における第１の例及び第２の例では、グリセリン及び溶剤の含有量を増減することでその粘度及び表面張力を変化させている。具体的には、グリセリンの含有量を増やすと、粘度及び表面張力が増加する。また、溶剤の含有量を増やしても粘度及び表面張力が増加する。
【００３０】
第１の組成例においても第２の組成例においても、変化させているのはグリセリン及び溶剤の重量パーセントであるが、グリセリン及び溶剤が増加すると、その一方でイオン交換水Ｗｔｒの重量パーセントが減少することになる。つまり、第１の組成例においても第２の組成例においても、ホワイトインクＷよりもライトホワイトインクＬＷのほうが、イオン交換水Ｗｔｒの重量パーセントは高い。このようにライトホワイトインクＬＷの方が、イオン交換水Ｗｔｒの重量パーセントが高く乾燥しにくいので、ホワイトインクＷに比して粘度増加を生じにくい。
【００３１】
なお、本実施形態において、溶剤とは水と顔料固形分を除いた、有機物の総称であり、実施例ではグリセリン、1,2-ヘキサンジオール、オレフィンＥ1010が該当する。溶剤としては、多価アルコール、アルカンジオール、樹脂などが含まれる。
【００３２】
多価アルコール類としては、ジエチレングリコール、トリエチレングリコール、ポリエチレングリコール、ポリプロピレングリコール、ジプロピレングリコール、１，２，６−ヘキサントリオール、チオグリコール、グリセリン、トリメチロールエタン、トリメチロールプロパン等が挙げられる。
【００３３】
アルカンジオール類としては、例えば、エチレングリコール、プロピレングリコール、ブチレングリコール、１，２−ブタンジオール、１，２−ペンタンジオール、１，２−ヘキサンジオール、２−エチル−１，３−ヘキサンジオール、１，２−ヘプタンジオール、１，２−オクタンジオール、ヘキシレングリコール等があげられる
樹脂としては、例えば、アクリル系樹脂、スチレンアクリル系樹脂、フルオレン系樹脂、ウレタン系樹脂、ポリオレフィン系樹脂、ロジン変性樹脂、テルペン系樹脂、ポリエステル系樹脂、ポリアミド系樹脂、エポキシ系樹脂、塩化ビニル系樹脂、塩化ビニル−酢酸ビニル共重合体、エチレン酢酸ビニル系樹脂等の公知の樹脂や、ポリオレフィンワックス等が挙げられる。これらの樹脂は、１種単独または２種以上組み合わせて用いることができる。
【００３４】
図４は、ヘッド４１におけるノズル列の周辺の断面図である。ヘッド４１は、複数のピエゾ素子４２１と、このピエゾ素子群４２１が固定される固定板４２３と、各ピエゾ素子４２１に給電するためのフレキシブルケーブル４２４と、から構成される。各ピエゾ素子４２１は、所謂片持ち梁の状態で固定板４２３に取り付けられている。固定板４２３は、ピエゾ素子４２１からの反力を受け止め得る剛性を備えた板状部材である。フレキシブルケーブル４２４は、可撓性を有するシート状の配線基板であり、固定板４２３とは反対側となる固定端部の側面でピエゾ素子４２１と電気的に接続されている。そして、このフレキシブルケーブル４２４の表面には、ピエゾ素子４２１の駆動等を制御するための制御用ＩＣであるヘッド制御部（不図示）が実装されている。ヘッド制御部は、各ヘッドのノズル群毎にそれぞれ設けられる。
【００３５】
流路ユニット４４は、流路形成基板４５と、ノズルプレート４６と、弾性板４７とを有し、流路形成基板４５がノズルプレート４６と弾性板４７に挟まれるようにそれぞれを積層して一体的に構成される。ノズルプレート４６は、ノズルが形成されたステンレス鋼製の薄いプレートである。
【００３６】
流路形成基板４５には、圧力室４５１及びインク供給口４５２となる空部が各ノズルに対応して複数形成される。リザーバ４５３は、インクタンクに貯留されたインクを各圧力室４５１に供給するための液体貯留室であり、インク供給口４５２を通じて対応する圧力室４５１の他端と連通している。そして、インクタンクからのインクは、インク供給管４３を通って、リザーバ４５３内に導入される。弾性板４７は、島部４７３を備えている。そして、この島部４７３にピエゾ素子４２１の自由端部の先端が接着される。
【００３７】
リザーバ４５３には、インク排出管４８も設けられる。そして、リザーバ４５３に供給されたインクを回収可能（又は排出可能）としている。インク供給管４３とインク排出管４８の詳細は後述する。
【００３８】
フレキシブルケーブル４２４を介してピエゾ素子４２１に駆動信号を供給すると、ピエゾ素子４２１は伸縮して圧力室４５１の容積を膨張・収縮させる。このような圧力室４５１の容積変化により、圧力室４５１内のインクには圧力変動が生じる。そして、このインク圧力の変動を利用することでノズルからインクを噴射させることができる。
【００３９】
図５Ａ及び図５Ｂは、第１実施形態におけるホワイトインクとライトホワイトインクの供給方法の説明図である。図５Ａには、前述の図４におけるＡ−Ａ断面図が示されている。また、図５Ｂには、図５ＡにおけるＢ−Ｂ断面図が示されている。
【００４０】
リザーバ４５３には、ホワイトインクＷかライトホワイトインクＬＷのいずれか一方が供給される。つまり、いずれか一方のインクが供給されるように切り替えが可能となっている。
【００４１】
図５Ａには、ホワイトインクＷ及びライトホワイトインクＬＷを排出するインク排出管４８が示されている。インク排出管４８には、排出切替弁４８２が設けられている。この排出切替弁４８２は、リザーバ４５３からインクの排出を停止する機能と、リザーバ４５３のインクをホワイトインクＷのインクタンクＴＷ又はライトホワイトインクＬＷのインクタンクＴＬＷのいずれかに排出するように流路を切り替える機能を有している。
【００４２】
通常の印刷時においては、排出切替弁４８２はインクの排出を停止する。すなわち、弁が閉じられている。一方、インクの切り替え時において、ホワイトインクＷのインクタンク又はライトホワイトインクＬＷのいずれかにインクが流入するように弁が切り替えられる。例えば、例えば、リザーバ４５３に供給されるインクをホワイトインクＷからライトホワイトインクＬＷに切り替える際に、ホワイトインクＷがホワイトインクＷのインクタンクに回収されるのであるが、このとき、ホワイトインクＷがホワイトインクＷのインクタンクにインクが流入するように排出切替弁４８２が切り替えられる。
【００４３】
図５Ｂには、ホワイトインクＷ及びライトホワイトインクＬＷを供給するインク供給管４３が示されている。インク供給管４３には、供給切替弁４３５が設けられ、ホワイトインクＷのインクタンクＴＷ及びライトホワイトインクＬＷのインクタンクＴＬＷに接続されている。この供給切替弁４３５により、ホワイトインクＷのインクタンクＴＷからのホワイトインクＷの供給と、ライトホワイトインクＬＷのインクタンクＴＬＷからのライトホワイトインクＬＷの供給とを切り替え可能としている。
【００４４】
これら供給切替弁４３５と排出切替弁４８２の切り替え制御は、前述のコントローラー１０接続された不図示のモーターによって行われる。また、リザーバ４５３からインクタンクへのインクの回収は、インクタンク内が負圧にされることにより行われる。なお、リザーバ４５３からインクタンクへのインクの回収は、インク供給管４３又はインク排出管４８にポンプを設け、ポンプの動力によって行うこととしてもよい。
【００４５】
図６は、印刷方法のフローチャートである。図７は、印刷物のインク層を簡略化して示した図である。以下、これらの図と前述の図５Ａ及び図５Ｂを参照しつつ、第１実施形態における印刷方法について説明する。
【００４６】
媒体に対する印刷において、供給切替弁４３５はホワイトインクＷがリザーバ４５３に供給される側に切り替えられている。また、排出切替弁４８２は閉じられている。そして、媒体の搬送動作とドット形成動作が繰り返されることにより、媒体にホワイトインクＷによる下地層が形成される（Ｓ１０２）。なお、このときは、カラーインクはまだ噴射されない。
【００４７】
ホワイトインクＷを噴射するドット形成動作が行われると、媒体上にホワイトインクＷ滴が着弾する。ホワイトインクＷが着弾した後、イオン交換水Ｗｔｒ等が乾燥し、白色顔料が媒体上で定着する。図７には、ホワイトインクＷとライトホワイトインクＬＷとカラーインクＣｏが着弾した様子が示されているが、ここでは、まだホワイトインクＷのみが着弾した段階である。
【００４８】
次に、媒体は搬送方向と反対の方向にバックフィードされる。また、媒体をバックフィードしている間に、リザーバ４５３のインクの入れ替えが行われる（Ｓ１０４）。インクの入れ替えでは、排出切替弁４８２がホワイトインクＷのインクタンクＴＷ側に切り替えられる。そして、リザーバ４５３内のホワイトインクＷがホワイトインクＷのインクタンクＴＷに回収される。ホワイトインクＷの回収が完了すると、排出切替弁４８２が閉じられる。一方、供給切替弁４３２がライトホワイトインクＬＷのインクタンクＴＬＷ側に切り替えられる。そして、ライトホワイトインクＬＷがリザーバ４５３内に流入し、充填される。
【００４９】
なお、インクの切り替え時において、ヘッド４１をフラッシング位置８１（図２）に移動して、不要なホワイトインクＷを打ち捨てるなどして、ホワイトインクＷを確実に排出させつつ、さらに、ライトホワイトインクＬＷを各ノズルの隅々まで行き渡らせるようにしてもよい。
【００５０】
このようにして、リザーバ４５３内のインクの交換が完了すると、次に、媒体の搬送動作とドット形成動作を繰り返し行って、ライトホワイトインクＬＷを媒体の全面に噴射する（Ｓ１０６）。
【００５１】
ホワイトインクＷ上にライトホワイトインクＬＷを噴射するドット形成動作が行われると、図７に示されるように、ホワイトインクＷの白色顔料上にライトホワイトインクＬＷ滴が着弾する。着弾したライトホワイトインクＬＷに含まれるイオン交換水Ｗｔｒも乾燥し、ライトホワイトインクＬＷに含まれる白色顔料も定着するが、前述のようにライトホワイトインクＬＷに含まれるイオン交換水の量は、ホワイトインクＷに含まれるイオン交換水Ｗｔｒの量よりも多い。よって、乾燥までにはホワイトインクＷよりも時間を要し、その間に、ライトホワイトインクＬＷに含まれる白色顔料は、沈降してホワイトインクＷの白色顔料の間を埋める。
【００５２】
また、ライトホワイトインクＬＷは、ホワイトインクＷよりも表面張力が低いため、より濡れ拡がりやすい。そのため、媒体の全域においてライトホワイトインクＬＷが行き渡り、媒体全体で下地層の平坦化を確保することができる。
【００５３】
仮に、ホワイトインクＷのみによる印刷であると、白色顔料の定着速度が早いため、その面に凹凸が生ずる。一方、本実施形態のように、顔料サイズが小さいライトホワイトインクＬＷをその上に噴射することで、その凹凸を適切に埋め、光の散乱を抑制することができる。そして、その上にカラー画像が形成されたときにおいて、高画質化を図ることができる。
【００５４】
その後、媒体をバックフィードさせる。そして、媒体の搬送動作とドット形成動作を繰り返し行って、カラーインクを噴射してカラー画像を形成する（Ｓ１０８）。これにより、白色の下地層上にカラー画像が形成される。そして、印刷動作を完了させる。
【００５５】
なお、この後に、印刷を行う場合には、排出切替弁４８２が切り替えられることにより、リザーバ４５３内のライトホワイトインクＬＷがライトホワイトインクＬＷのインクタンクに回収されるとともに、供給切替弁４８２が切り替えられることによって、ホワイトインクＷのインクタンクからホワイトインクＷが供給されることになる。
【００５６】
図８は、印刷物のインク層の説明図である。前述の図７では、各インクの顔料が１層ずつ示されていたが、実際の印刷ではより多くのインクが噴射されるため、顔料は幾重にも重なって複数の層を形成する。図８では、各インク色の顔料が複数の層をなしている様子が示されている。このように、ホワイトインクＷの顔料が幾重にも重なることにより、下地層の白色度を確保することができる。そして、その上にライトホワイトインクＬＷの顔料が幾重にも重なることにより、下地層の平坦性を確保することができる。さらに、これらの顔料よりも小さい顔料のサイズを有するカラーインクを噴射することにより、精緻な画像を形成することができる。
【００５７】
ところで、粒径は白色度に比例するが、顔料の沈降速度も粒径の大きさに比例するため、インク供給路でインクの濃淡が発生してしまう。このため、単にホワイトインクの粒径を大きくすることはできない。一方、ホワイトインクの噴射量を増加させるほど白色度は高まるが、印刷物にクラックが生じ、このためガマットが低下する場合がある。これに対し、上述の実施形態であれば、２つの種類のホワイトインクを用いることにより、ホワイトインクの噴射量を適量とすることができるので、クラックが生ずることを防止しつつ、白色度の高い下地層を形成することができる。
【００５８】
なお、上述の実施形態では、ホワイトインクＷとライトホワイトインクＬＷは、共通のリザーバ４５３を用い、かつ、インクを噴射するノズル列も共通に用いることとしたが、この形態には限られない。例えば、ホワイトインクＷとライトホワイトインクＬＷは、それぞれ別個のリザーバ及びノズル列を有する形態とすることもできる。
【００５９】
ホワイトインクＷとライトホワイトインクＬＷが共通のリザーバ及びノズル列を用いる場合、前述のようにライトホワイトインクＬＷのイオン交換水の含有量が多いため、ノズル周辺のインク固化を生じにくくすることができるという利点がある。一方、ホワイトインクＷとライトホワイトインクＬＷが、それぞれ別個のリザーバ及びノズル列を用いる場合、インクの切り替え作業が必要ないという利点がある。
【００６０】
＝＝＝第２実施形態＝＝＝
図９Ａ及び図９Ｂは、第２実施形態におけるホワイトインクとライトホワイトインクの供給方法の説明図である。これらの図の読み方は、第１実施形態における図４、図５Ａ、及び、図５Ｂと同様である。
【００６１】
第２実施形態において、インク排出管４８及び排出切替弁４８２の構成は共通している。一方、ホワイトインクＷを供給する供給管とライトホワイトインクＬＷを供給する供給管とが別個に存在する。
【００６２】
図９Ｂには、ホワイトインクＷを供給するための第１インク供給管４３１とライトホワイトインクＬＷを供給するための第２インク供給管４３２が示されている。第１インク供給管４３１には、第１供給切替弁４３７が設けられ、第２インク供給管４３２には、第２供給切替弁４３８が設けられる。
【００６３】
第１供給切替弁４３７が開かれているときには第２供給切替弁４３８は閉じられる。一方、第２供給切替弁４３８が開かれているときには第１供給切替弁４３７は閉じられる。これらの切り替え制御についても、前述のコントローラー１０に接続された不図示のモーターによって行われる。
【００６４】
＝＝＝第３実施形態＝＝＝
図１０Ａ及び図１０Ｂは、第３実施形態におけるホワイトインクとライトホワイトインクの供給方法の説明図である。これらの図の読み方は、第１実施形態における図４、図５Ａ、及び、図５Ｂと同様である。
【００６５】
第３実施形態においても、インク排出管４８及び排出切替弁４８２の構成は共通している。また、供給切替弁４３５の構成も共通している。一方、ホワイトインクＷとライトホワイトインクＬＷを供給するインク供給管４３３が循環型となっている。これにより、リザーバ４５３内に充填されたインクは、インク供給管４３３に設けられたポンプの動力により、インク供給管４３３内を循環する。このようにすることによって、リザーバ４３５内のインクが常に攪拌されるため、よりインクの増粘を生じにくくすることができる。
【００６６】
＝＝＝その他の実施の形態＝＝＝
上述の実施形態では、印刷装置としてプリンター１が説明されていたが、これに限られるものではなくインク以外の他の流体（液体や、機能材料の粒子が分散されている液状体、ジェルのような流状体）を噴射したり吐出したりする液体吐出装置に具現化することもできる。例えば、カラーフィルタ製造装置、染色装置、微細加工装置、半導体製造装置、表面加工装置、三次元造形機、気体気化装置、有機ＥＬ製造装置（特に高分子ＥＬ製造装置）、ディスプレイ製造装置、成膜装置、ＤＮＡチップ製造装置などのインクジェット技術を応用した各種の装置に、上述の実施形態と同様の技術を適用してもよい。また、これらの方法や製造方法も応用範囲の範疇である。
【００６７】
上記の実施形態は、本発明の理解を容易にするためのものであり、本発明を限定して解釈するためのものではない。本発明は、その趣旨を逸脱することなく、変更、改良され得ると共に、本発明にはその等価物が含まれることは言うまでもない。
【００６８】
＜ヘッドについて＞
前述の実施形態では、圧電素子を用いてインクを吐出していた。しかし、液体を吐出する方式は、これに限られるものではない。例えば、熱によりノズル内に泡を発生させる方式など、他の方式を用いてもよい。
【符号の説明】
【００６９】
１  プリンター、１０  コントローラー、
１１  インターフェース部、１２  ＣＰＵ、
１３  メモリー、１４  ユニット制御回路、
２０  搬送ユニット、
３０  キャリッジユニット、
４０  ヘッドユニット、４１  ヘッド、４３  インク供給管、４８  インク排出管、
５０  検出器群、６０  コンピューター
４２１  ピエゾ素子、４２３  固定板、４２４  フレキシブルケーブル、
４４  流路ユニット、４５  流路形成基盤、４６  ノズルプレート、４７  弾性板、
４５１  圧力室、４５２  インク供給口、４５３  リザーバ、４７３  島部、
【図１】
2013212637.tif 000004
【図２】
2013212637.tif 000005
【図３】
2013212637.tif 000006
【図４】
2013212637.tif 000007
【図５】
2013212637.tif 000008
【図６】
2013212637.tif 000009
【図７】
2013212637.tif 000010
【図８】
2013212637.tif 000011
【図９】
2013212637.tif 000012
【図１０】
2013212637.tif 000013